(57)【要約】【課題】サスペンド中におけるＵＳＢの電源ラインからの電力消費を少なくする。【解決手段】電子機器１０は、ＵＳＢ上でデータ送受信を行うトランシーバ回路２２と、バス電源（VBus）から供給された電力を元に電源電圧を発生し、トランシーバ回路２２以外の各回路に供給する第１のレギュレータ４５と、バス電源（VBus）から供給された電力を元に電源電圧を発生し、トランシーバ回路２２に供給する第２のレギュレータ４６とを備える。第１のレギュレータ４５は、ＵＳＢがサスペンドとなったときには、直流電源電圧の発生動作を停止し、送受信復帰信号が発生した場合には、直流電源電圧の発生動作を開始する。【選択図】図７
2005275612.tif 000002
【特許請求の範囲】
【請求項１】
ホスト機器からスレーブ機器へ動作電力を供給する電源ラインを有するインタフェースバスが接続可能とされ、当該インタフェースバスが接続されている時にスレーブ機器として動作する電子機器において、
上記インタフェースバスを介してホスト機器との間で信号の送受信を行うトランシーバ回路と、
上記インタフェースバスの電源ラインから供給された電力を元に直流電源電圧を発生し、発生した直流電源電圧を上記トランシーバ回路に供給する第１の電源回路と、
上記インタフェースバスの電源ラインから供給された電力を元に直流電源電圧を発生し、発生した直流電源電圧を上記トランシーバ回路以外の当該機器内の各回路に供給する第２の電源回路とを備え、
上記第２の電源回路は、
上記インタフェースバス上に送受信中断信号が発生した場合には、直流電源電圧の発生動作を停止し、
上記インタフェースバス上に送受信復帰信号が発生した場合には、直流電源電圧の発生動作を開始すること
を特徴とする電子機器。
【請求項２】
上記トランシーバ回路は、
上記インタフェースバス上に送受信復帰信号が発生した場合には、上記第２の電源回路の動作を復帰させること
を特徴とする請求項１記載の電子機器。
【請求項３】
上記トランシーバ回路は、上記インタフェースバス上に送受信中断信号が発生した場合には、上記第２の電源回路の動作を復帰させる復帰機能、及び、送受信復帰信号を検出する検出機能のみを動作させ、
上記第１の電源回路は、上記インタフェースバス上に送受信中断信号が発生した場合には、上記復帰機能及び上記検出機能を動作させるために必要な電力のみを発生すること
を特徴とする請求項２記載の電子機器。
【発明の詳細な説明】
【技術分野】
【０００１】
本発明は、ホスト機器とスレーブ機器とを接続するインタフェースバスが接続可能な電子機器に関するものである。
【背景技術】
【０００２】
ディジタルオーディオデータを記録再生するための記録媒体として、カートリッジに収納された直径６４ｍｍの光磁気ディスクであるミニディスク（ＭＤ）が広く普及している。ミニディスクに対してオーディオデータの記録再生を行うシステム（以下、ＭＤシステムという。）は、ディスク自体が小型で安価であることから、ポータブルなオーディオデータの記録再生機器として非常に優れている。
【０００３】
しかしながら、現行方式のＭＤシステムは、ＴＯＣ（Table Of Contents）と呼ばれるオーディオデータをタイトル単位で管理する管理情報がディスク上の所定の領域に記録されるフォーマットが採用されており、スタンドアローンで動作することが前提とされている。そのため、現行方式のＭＤシステムは、コンピュータとの親和性が低く、例えばコンピュータのストレージデバイスとして用いるのが難しかった。そこで、本出願人は、ディスク自体は従来のものと同一とし、記録方式のみを変更することにより、コンピュータとの親和性を高めた新方式のフォーマットのＭＤシステムを提案した（例えば、特許文献１参照。）。
【０００４】
この新方式のＭＤシステムでは、ＦＡＴ（File Allocation Table）やディレクトリ構造等のファイル管理情報をディスク上の所定の領域に記録して、当該ディスク内に格納されている情報をファイル単位で管理するようなフォーマットを採用している。このことにより、この新方式のＭＤシステムでは、コンピュータのストレージデバイスとして認識させることができるようになった。
【０００５】
また、コンピュータに、プリンタ,スキャナ,外付けのディスクメディアドライブ等を接続するインタフェースバスとして、ＵＳＢ（Universal Serial Bus）と呼ばれるものが知られている（非特許文献１）。
【０００６】
ＵＳＢは、パーソナルコンピュータ等のホスト機器と、そのスレーブ機器（例えば、プリンタ,スキャナ,外付けのディスクメディアドライブ等）とを接続するインタフェースである。
【０００７】
ＵＳＢの信号線は、２本の信号ライン（Ｄ＋,Ｄ−）、電源ライン（ＶＢｕｓ）及びグランドライン（ＧＮＤ）とから構成されている。ＵＳＢでは、２本の信号ライン（Ｄ＋,Ｄ−）によりホスト機器とスレーブ機器との間での各種データ及び信号の送受信を行う。また、ＵＳＢでは、電源ライン（ＶＢｕｓ）によりホスト機器からスレーブ機器へ電力を供給することが可能となっており、スレーブ機器に電源（例えば、ＡＣアダプタや電池等）が無くてもスレーブ機器を動作させることができる。
【０００８】
このようなＵＳＢは、上述した新方式のＭＤシステムにも設けられており、ＵＳＢを介してコンピュータ（ホスト機器）と接続することにより、コンピュータのスレーブ機器（ストレージデバイス）として使用することができる。
【０００９】
【特許文献１】特開２００３−２９６９４２号公報
【非特許文献１】［平成１６年２月２３日  検索］、インターネット  ＜ＵＲＬ：http://www.usb.org/home＞
【発明の開示】
【発明が解決しようとする課題】
【００１０】
ところで、ＵＳＢでは、サスペンドという信号ライン（Ｄ＋,Ｄ−）の状態が規定されている。データの通信中は、ホスト機器からスレーブ機器へスタートオブフレーム（ＳＯＦ）と呼ばれる信号が２本の信号ライン（Ｄ＋,Ｄ−）上に伝送されるが、このスタートオブフレーム（ＳＯＦ）が一定時間以上停止しアイドル状態となった場合に、サスペンドとなる。
【００１１】
サスペンドは、例えばホスト機器がスリープ状態となった場合に、ホスト機器がスタートオブフレーム（ＳＯＦ）を停止することにより主に発生する。
【００１２】
ここで、サスペンドの時にはスレーブ機器では電源ライン（ＶＢｕｓ）から消費する消費電流を５００μＡ以下に抑えなければならないとＵＳＢ規格で規定されている。そのため、スレーブ機器は、サスペンドとなると、消費電流を抑えるために、通常自分自身もスリープ状態へと移行する。つまり、メモリやコントローラ等の内部ＩＣ等への電力供給を停止して、消費電力を削減する。
【００１３】
もっとも、ホスト機器がスリープ状態から復帰した場合には、スレーブ機器も復帰しなければならないので、スリープ状態とした後も、ＵＳＢのインタフェース回路や電源回路等は動作を続けなければならない。
【００１４】
しかしながら、ＭＤシステムでは、全体の回路規模が非常に大きいため、スリープ状態の時にも動作を続けていなければならないインタフェース回路や電源回路等での消費電流が大きく、たとえスリープ状態であっても消費電流を５００μＡ以下に抑えることは非常に困難であった。
【課題を解決するための手段】
【００１５】
本発明は、以上のことを鑑みてなされたものであり、データ送受信の中断時に、インタフェースバスの電源ラインから供給される電力の消費量を非常に少なくした電子機器を提供することを目的とする。
【００１６】
本発明に係る電子機器は、ホスト機器からスレーブ機器へ動作電力を供給する電源ラインを有するインタフェースバスが接続可能とされ、当該インタフェースバスが接続されている時にスレーブ機器として動作する電子機器であって、上記インタフェースバスを介してホスト機器との間で信号の送受信を行うトランシーバ回路と、上記インタフェースバスの電源ラインから供給された電力を元に直流電源電圧を発生し、発生した直流電源電圧を上記トランシーバ回路に供給する第１の電源回路と、上記インタフェースバスの電源ラインから供給された電力を元に直流電源電圧を発生し、発生した直流電源電圧を上記トランシーバ回路以外の当該機器内の各回路に供給する第２の電源回路とを備え、上記第２の電源回路は、上記インタフェースバス上に送受信中断信号が発生した場合には、直流電源電圧の発生動作を停止し、上記インタフェースバス上に送受信復帰信号が発生した場合には、直流電源電圧の発生動作を開始する。
【発明の効果】
【００１７】
本発明に係る電子機器では、インタフェースバスの電力を元に直流電源電圧を発生する電源回路を二つに分割しておき、インタフェースバス上での送受信が中断される場合には、一方の電源回路の動作を停止することにより、トランシーバ回路に対して直流電源電圧を供給し、その他の回路に対して直流電源電圧の供給を停止する。
【００１８】
このことにより、本発明に係る電子機器では、送受信中断時に、インタフェースバスの電源ラインから供給される電力の消費量を、非常に少なくすることができる。
【発明を実施するための最良の形態】
【００１９】
以下、本発明の最良の実施形態として、本発明が適用されたディスク状の光磁気記録媒体である光磁気ディスクの記録再生装置（ディスク記録再生装置）について説明をする。
【００２０】
ディスク記録再生装置の全体機能説明及び外観説明
図１及び図２に本実施形態のディスク記録再生装置の外観図を示す。
【００２１】
本実施形態のディスク記録再生装置１０は、図１に示すように、カートリッジに収納された直径約６．４センチの光磁気ディスク（以下、単にディスク１という。）に対して、データの記録及び再生を行う装置である。ディスク１は、いわゆるミニディスク（登録商標）と呼ばれるフォーマットが採用された光磁気ディスク又はＨｉＭＤと呼ばれるフォーマットが適用された光磁気ディスク等である。
【００２２】
ディスク記録再生装置１０は、持ち運び可能な小型機器であり、その筐体は人間が片手で持てる程度の大きさである。
【００２３】
ディスク記録再生装置１０には、ディスク１の装着及び取り出しが可能される。ディスク記録再生装置１０は、ディスク１を内部に装着した状態でデータの記録及び再生を行う。
【００２４】
ディスク記録再生装置１０は、それ自体単体で音楽及び音声等の記録及び再生を行うことが可能である。
【００２５】
また、ディスク記録再生装置１０には、ＵＳＢコネクタ１１が設けられている。ＵＳＢコネクタ１１には、ＵＳＢケーブル１３の先端のＵＳＢプラグ１３-１が挿入される。ディスク記録再生装置１０は、図２又は図３に示すように、ＵＳＢケーブル１３を介してコンピュータ２０（以下、ホスト機器２０とも言う場合がある。）と接続することが可能である。ディスク記録再生装置１０は、ＵＳＢケーブル１３を介してコンピュータ２０と接続した場合、当該コンピュータ２０をホスト機器としたスレーブ機器としての機能をする。
【００２６】
なお、ディスク記録再生装置１０が単体で音楽及び音声等の記録及び再生を行う動作のことを、以下、スタンドアローン動作という。また、ディスク記録再生装置１０がＵＳＢケーブル１３を介して接続して、ホスト機器のスレーブ機器として動作することを、以下、スレーブ動作という。
【００２７】
ディスク記録再生装置１０は、二次電池が内蔵可能となっている。また、ディスク記録再生装置１０は、ＡＣアダプタ１６の電圧出力プラグが挿入される外部電源入力端子１２が設けられている。ＡＣアダプタ１６は、家庭用ＡＣ電圧を直流電圧に変換する装置である。ディスク記録再生装置１０は、この外部電源入力端子１２から電力供給が可能となっている。
【００２８】
ディスク記録再生装置１０は、スタンドアローン動作を行う場合には、二次電池の電力、又は、ＡＣアダプタ１６からの電力（ＡＣアダプタ１６からの電力のことを、以下、外部電源の電力ともいう。）を元に動作を行う。また、ディスク記録再生装置１０は、スレーブ動作を行う場合には、原則的には、ＵＳＢケーブル１３を介してホスト機器から供給される電力（以下、ＵＳＢケーブル１３を介してホスト機器から供給される電力のことを、バスの電力ともいう。）を元に動作を行う。
【００２９】
なお、ディスク記録再生装置１０は、ＵＳＢケーブル１３及びＡＣアダプタの電圧出力プラグを筐体に直接挿入することもできるが、図３に示すように、クレードル１５を介してＵＳＢケーブル１３及びＡＣアダプタ１６と接続することもできる。
【００３０】
また、ディスク記録再生装置１０には、再生ボタン、ストップボタン、一時停止ボタン、記録開始ボタン、ジョグダイヤル（回転押下スイッチ）等の各種操作スイッチ１７と、例えばＬＣＤ(Liquid Crystal Display)からなる表示部１８と、イヤホンや各種操作スイッチ等が設けられたリモートコントローラ１９とが設けられている。
【００３１】
ディスク記録再生装置の内部構成及び基本動作の説明
つぎに、本発明の実施の形態のディスク記録再生装置１０の内部構成について説明をする。
【００３２】
図４にディスク記録再生装置１０の内部構成を示すブロック構成図を示す。
【００３３】
ディスク記録再生装置１０は、ディスク１に対してデータの書き込み及び読み出しを行うメディアドライブ部２１と、例えばパーソナルコンピュータ等のホスト機器２０との間のＵＳＢケーブル１３を介してデータ転送を行うＵＳＢ（Universal Serial Bus）トランシーバ２２と、キャッシュメモリ２３と、データ転送を制御するメモリ転送コントローラ２４と、メディアドライブ部２１に対して書き込み及び読み出されるオーディオデータに対する処理を行うオーディオ処理部２５と、当該装置の中央制御を行うシステムコントローラ２６と、電源管理部３０とを備えている。
【００３４】
メディアドライブ部２１には、カートリッジに収納されたディスク１が装着される。ディスク１は、メディアドライブ部２１に対して装着及び取り外しが自在となっている。メディアドライブ部２１は、装着されたディスク１に対するデータの書き込み及び読み出しを行う。
【００３５】
ＵＳＢトランシーバ２２は、ＵＳＢコネクタ１１に接続されたＵＳＢケーブル１３を介して、ホスト機器２０との間でＵＳＢのデータ転送規格に準拠したデータの送受信制御を行う回路である。ＵＳＢコネクタ１１は、ＵＳＢケーブル１３が挿入されるコネクタである。ディスク記録再生装置１０は、ＵＳＢコネクタ１１にＵＳＢケーブル１３が接続され、且つ、ホスト機器２０にもそのＵＳＢケーブル１３が接続されることにより、ホスト機器をホスト機器２０とした外付けデバイスの一つとして機能することとなる。
【００３６】
ＵＳＢの信号線は、２本の信号ライン（Ｄ＋,Ｄ−）、電源ライン（ＶＢｕｓ）及びグランドライン（ＧＮＤ）とから構成されている。ＵＳＢトランシーバ２２には、２本の信号ライン（Ｄ＋,Ｄ−）が接続され、この信号ライン（Ｄ＋,Ｄ−）を介してホスト機器との間での各種データ及び信号の送受信を行う。
【００３７】
キャッシュメモリ２３は、メディアドライブ部２１によってディスク１から読み出された音声データ等及びディスク１に対して書き込む音声データ等を、一時的に記憶するバッファリング回路である。また、キャッシュメモリ２３は、メディアドライブ部２１によってディスク１から読み出されたディスク管理情報や各種の特殊情報を記憶する。例えば、メディアドライブ部２１によってディスク１から読み出されたＴＯＣ（Table Of Contents）やＦＡＴ(File Allocation Table)等のディスク管理情報を記憶する。
【００３８】
メモリ転送コントローラ２４は、キャッシュメモリ２３に対するデータの書き込み及び読み出し制御を行う。
【００３９】
オーディオ処理部２５は、ＵＳＢケーブル１３が取り外された状態でデータの記録再生を行う際に用いられるエンコーダ及びデコーダである。オーディオ処理部２５は、オーディオ信号の入力系として、例えばライン入力回路／マイクロホン入力回路等のアナログ音声信号入力部、アナログ入力されたオーディオ信号をデジタルに変化するＡ/Ｄ変換回路、及び、ディジタルオーディオデータ入力部を有している。また、オーディオ処理部２５は、オーディオ出力系として、ディジタルオーディオデータ出力部、デジタルのオーディオデータをアナログ信号に変換するＤ/Ａ変換回路、ライン出力回路／ヘッドホン出力回路等のアナログ音声信号出力部を有している。また、オーディオ処理部２５は、ＡＴＲＡＣ方式の圧縮/伸張回路を有している。
【００４０】
システムコントローラ２６は、ディスク記録再生装置１０内の全体の制御を行うとともに、接続されたホスト機器２０との間の通信制御を行う。また、システムコントローラ２６は、ＵＳＢトランシーバ２２を介して接続されたホスト機器２０との間で通信可能とされ、書込要求、読出要求等のコマンドの受信やステイタス情報そのほかの必要情報の送信などを行う。
【００４１】
また、システムコントローラ２６は、ディスク１がメディアドライブ部２１に装着された際に、ＴＯＣやＦＡＴ等のディスク管理情報の読出をメディアドライブ部２１に指示し、メディアドライブ部２１によって読み出されたディスク管理情報をキャッシュメモリ２３に格納させる。システムコントローラ２６は、これらディスク管理情報を参照することによって、ディスク１のトラック記録状態を把握できる。
【００４２】
また、システムコントローラ２６は、再生ボタン、ストップボタン、一時停止ボタン、記録開始ボタン、ジョグダイヤル（回転押下スイッチ）等からなる各種操作部１７、表示部１８、リモートコントローラ１９等に対する制御も行う。
【００４３】
電源管理部３０は、外部電源入力端子１２から供給される外部電源の電力、内部に設けられている二次電池の電力、並びに、バス電源の電力に基づき、当該ディスク記録再生装置１０を動作させるための直流電源電圧を発生する。
【００４４】
以上のようなディスク記録再生装置１０は、ホスト機器２０と接続されずに動作をするスタンドアローン動作と、ホスト機器２０とＵＳＢケーブル１３で接続されて動作するスレーブ動作との２つの動作を行う。
【００４５】
スタンドアローン動作でオーディオ信号をディスク１に記録する場合には、ディスク記録再生装置１０は、オーディオ処理部２５の入力系を介して外部から入力されたオーディオ信号を、オーディオ処理部２５がＡＴＲＡＣ方式で圧縮し、圧縮したオーディオデータをメディアドライブ部２１に転送する。メディアドライブ部２１は、転送されてきたオーディオデータをユーザエリアの空き領域に記録してゆく。
【００４６】
スタンドアローン動作でオーディオ信号をディスク１から再生する場合には、ディスク記録再生装置１０は、操作/表示部２７を介してユーザにより指定がされたタイトルのオーディオデータの再生命令をメディアドライブ部２１に与える。メディアドライブ部２１は、与えられた再生命令に従ってディスク１からデータを読み出してゆく。オーディオ処理部２５は、メディアドライブ部２１から読み出されたオーディオデータをＡＴＲＡＣ方式で伸張し、伸張したオーディオ信号を出力系を介して外部に出力する。
【００４７】
スレーブ動作でホスト機器２０からディスク１にデータを記録する場合、ＵＳＢトランシーバ２２を介してホスト機器２０からディスク記録再生装置１０へ書き込みデータとともに書き込み命令が入力される。ディスク記録再生装置１０は、入力された書き込みデータをキャッシュメモリ２３に一旦格納したのち、メディアドライブ部２１に転送する。メディアドライブ部２１は、入力されたデータを、書き込み命令により指定されたアドレスのクラスタに書き込みを行う。
【００４８】
スレーブ動作でディスク１からデータをホスト機器２０へ転送する場合、ＵＳＢトランシーバ２２を介してホスト機器２０からディスク記録再生装置１０へ読み出し命令が入力される。メディアドライブ部２１は、読み出し命令で指定されたアドレスからデータの読み出しを行う。読み出されたデータは、メモリ転送コントローラ１２によってキャッシュメモリ２３に一旦格納される。但し、既にそのデータがキャッシュメモリ２３に既に格納されていた場合、メディアドライブ部２１による読出は必要ない。ディスク記録再生装置１０は、キャッシュメモリ２３に格納されているデータを、ＵＳＢケーブル１３を介してホスト機器２０に転送する。
【００４９】
ディスク記録再生装置の電源管理部の構成
つぎに、電源管理部３０の構成について説明をする。図５に、電源管理部３０の具体的な内部構成並びに電源管理部３０の周辺回路のブロック図を示す。
【００５０】
電源管理部３０は、二次電池３１と、主電源部３２と、ＵＳＢ電源部３３と、切換部３４とから構成されている。
【００５１】
二次電池３１は、例えばリチウムイオン電池等の充電可能な電池であり、ディスク記録再生装置１０の筐体外部から装填/取り外しが自在となっている。二次電池３１は、充電量等に応じた直流電圧（ＶＢＡＴＴ）を発生する。
【００５２】
主電源部３２は、定電圧を発生する電源回路である。主電源部３２には、外部電源入力端子１２から入力される電圧（ＶＡＣ）と、二次電池３１から発生される電圧（ＶＢＡＴＴ）と、ＵＳＢコネクタ１１の電源ラインの電圧（ＶＢｕｓ）とが入力され、これらの電圧を元に安定化した定電圧を発生する。主電源部３２から出力される定電圧のことを、以下、主電源電圧（Ｖｍａｉｎ）という。主電源部３２から出力された主電源電圧（Ｖｍａｉｎ）は、切換部３４に供給される。
【００５３】
また、主電源部３２は、二次電池３１に対する充電制御も行う。二次電池３１の充電及び放電の制御は、システムコントローラ２６からの制御に応じて行われる。
【００５４】
なお、主電源部３２の詳細な内部構成についての説明は後述する。
【００５５】
ＵＳＢ電源部３３は、バス電力のみを元に定電圧を発生する電源回路である。ＵＳＢ電源部３３は、詳細の構成説明は後述するが、独立した２つのレギュレータが内部に設けられている。ＵＳＢ電源部３３内の２つのレギュレータはともに、ＵＳＢコネクタ１１の電源ラインに供給されている電圧（ＶＢｕｓ）が入力され、この電圧を安定化させ、定電圧を発生する。一方のレギュレータから発生された安定化した電源電圧のことを、以下、ＵＳＢ電源電圧（Ｖｕｓｂ）という。他方のレギュレータから発生された安定化した電源電圧のことを、以下、トランシーバ電源電圧（Ｖｔｒｃ）という。なお、ＵＳＢ電源電圧（Ｖｕｓｂ）と、主電源部３２から出力される主電源電圧（Ｖｍａｉｎ）とは、同電圧である。
【００５６】
ＵＳＢ電源部３３から出力されたＵＳＢ電源電圧（Ｖｕｓｂ）は、切換部３４に供給される。また、ＵＳＢ電源部３３から出力されたトランシーバ電源電圧（Ｖｔｒｃ）は、ＵＳＢトランシーバ２２に供給される。
【００５７】
なお、ＵＳＢ電源部３３についての詳細説明は後述する。
【００５８】
切換部３４は、主電源電圧（Ｖｍａｉｎ）又はＵＳＢ電源電圧（Ｖｕｓｂ）の一方の電圧を、選択的に切り換えて出力するスイッチ回路である。
【００５９】
具体的には、切換部３４は、２接点スイッチ３７と、ダイオード３８とから構成されている。
【００６０】
２接点スイッチ３７は、二つの接点（第１接点ａ,第２接点ｂ）のうちのいずれか一方を選択的に切り換えて、選択した一方の接点（第１接点ａ又は第２接点ｂ）のみを出力端子ｃと接続するスイッチである。２接点スイッチ３７の第１接点ａには、ＵＳＢ電源部３３から出力されたＵＳＢ電源電圧（Ｖｕｓｂ）が印加される。２接点スイッチ３８の第２接点ｂには、主電源部３２から出力された主電源電圧（Ｖｍａｉｎ）が印加される。つまり、２接点スイッチ３７は、主電源電圧（Ｖｍａｉｎ）又はＵＳＢ電源電圧（Ｖｕｓｂ）のいずれか一方の電圧を出力端子ｃから発生させる回路である。なお、２接点スイッチ３７の切換制御は、システムコントローラ２６により行われる。
【００６１】
ダイオード３８は、アノードが２接点スイッチ３７の第２接点ｂに接続され、カソードが２接点スイッチ３７の出力端子ｃに接続されている。このダイオード３８は、主電源部３２から出力される主電源電圧（Ｖｍａｉｎ）から順方向電圧（Ｖｄ）分だけ降下させた電圧値（Ｖｍａｉｎ−Ｖｄ）を、出力端子ｃに印加する機能を実現している。
【００６２】
このような構成の切換部３４では、２接点スイッチ３７が第１接点ａ側に切り換えられている場合にはＵＳＢ電源電圧（Ｖｕｓｂ）を出力端子ｃから発生し、２接点スイッチ３７が第２接点ｂ側に切り換えられている場合には主電源電圧（Ｖｍａｉｎ）を出力端子ｃから発生する。ただし、２接点スイッチ３７が第１接点ａ側に切り換えられている場合であっても、主電源電圧（Ｖｍａｉｎ）が発生しており、ＵＳＢ電源電圧（Ｖｕｓｂ）が発生していない場合には、主電源電圧（Ｖｍａｉｎ）から順方向電圧（Ｖｄ）分だけ電圧降下した電圧（Ｖｍａｉｎ−Ｖｄ）が出力端子ｃから発生する。なお、２接点スイッチ３７が第１接点ａ側に切り換えられている場合であって、主電源電圧（Ｖｍａｉｎ）及びＵＳＢ電源電圧（Ｖｕｓｂ）の両者が発生している場合には、電圧が高いＵＳＢ電源電圧（Ｖｕｓｂ）の方が出力端子ｃから発生する。
【００６３】
以上のような構成の切換部３４の出力端子ｃから発生した電圧は、電源電圧（ＶＤＤ）として、ディスク記録再生装置１０の各回路を駆動するための動作電圧として、システムコントローラ２６の他、各回路に供給される。
【００６４】
ディスク記録再生装置の電源管理部のスイッチ切換制御
つぎに、ディスク記録再生装置１０の電源等の管理方法について説明をする。
【００６５】
（スイッチ切換）
ディスク記録再生装置１０では、ＵＳＢトランシーバ２２は、ＵＳＢ電源部３３から出力されたトランシーバ電源電圧（Ｖｔｒｃ）を常に電力源としているが、システムコントローラ２６を含むその他の回路は、主電源部３２から出力された主電源電圧（Ｖｍａｉｎ）又はＵＳＢ電源部３３から出力されたＵＳＢ電源電圧（Ｖｕｓｂ）のいずれかを一方を電力源としている。
【００６６】
スタンドアローン動作時には、ＵＳＢトランシーバ２２以外の回路は、主電源部３２から出力された主電源電圧（Ｖｍａｉｎ）が電力源として供給される。具体的には、スタンドアローン動作中には、切換部３４内の２接点スイッチ３７が第２接点ｂ側に切り換えられ、つまり、２接点スイッチ３７が主電源電圧（Ｖｍａｉｎ）側に切り換えられており、主電源電圧（Ｖｍａｉｎ）が各回路に供給される状態とされている。
【００６７】
スレーブ動作時には、ディスク記録再生装置１０では、ＵＳＢトランシーバ２２以外の回路は、原則的に、ＵＳＢ電源部３３から出力されたＵＳＢ電源電圧（Ｖｕｓｂ）が、電力源として供給される。具体的には、スレーブ動作中には、切換部３４内の２接点スイッチ３７が第１接点ａ側に切り換えられ、つまり、２接点スイッチ３７がＵＳＢ電源電圧（Ｖｕｓｂ）側に切り換えられており、ＵＳＢ電源電圧（Ｖｕｓｂ）が各回路に供給される状態とされている。
【００６８】
なお、切換部３４内の２接点スイッチ３７は、初期状態（スレーブ動作かスタンドアローン動作かが定まってない状態、電源がオフの状態及びシステムコントローラ２６からなんら制御信号が与えられていない状態等）のときには、第１接点ａ側に切り換えられている。つまり、初期状態のときには、切換部３４内の２接点スイッチ３７はＵＳＢ電源電圧（Ｖｕｓｂ）側に切り換えられており、ＵＳＢ電源電圧（Ｖｕｓｂ）が各回路に供給される状態となっている。
【００６９】
（セルフパワーモード）
ところで、スレーブ動作時であっても、例外的に主電源電圧（Ｖｍａｉｎ）を利用する場合もある。
【００７０】
ディスク記録再生装置１０では、セルフパワーモードと呼ばれるモードに設定可能となっている。システムコントローラ２６は、セルフパワーモードに設定されているときには、スレーブ動作時であっても、切換部３４内の２接点スイッチ３７を第２接点ｂ側に切り換え、さらに、主電源部３２に対してバス電源の電力を用いずに主電源電圧（Ｖｍａｉｎ）を発生するように制御信号を与える。
【００７１】
従って、電源管理部３０は、セルフパワーモードが設定されているときには、スレーブ動作又はスタンドアローン動作に関わらず、ＵＳＢトランシーバ２２以外の回路に対して、外部電源又は二次電池の電力を供給している。つまり、スレーブ動作時であっても、セルフパワーモードに設定されているときには、システムコントローラ２６等に対してバス電源の電力を供給していない。
【００７２】
セルフパワーモードの設定は、ホスト機器２からの電力供給能力がなんらかの理由で少なくなってしまっているときに有効となる。ＵＳＢでは、スレーブ機器が電源ライン（ＶＢｕｓ）から最大で５００ｍＡまでの電流を引き出すことができると規定されている。しかしながら、ホスト機器の不具合や故障等の理由により最大の５００ｍＡまで電流を引きだすことができない場合もありえる。このような場合、スレーブ機器に、電力不足による動作不安定状態が生じる可能性がある。
【００７３】
そこで、ディスク記録再生装置１０では、電力供給能力が規定以下でとなってしまっている場合であっても正常な動作が可能となるように、バス電力をほとんど用いずにスレーブ動作が可能なセルフパワーモードが設定可能となっている。
【００７４】
なお、ディスク記録再生装置１０では、セルフパワーモードへの設定は基本的にはユーザが操作部を用いて行う。しかしながら、ユーザが設定するのみではなく、例えば、システムコントローラ２６がＵＳＢ電源部３３の動作を監視し、ＵＳＢ電源部３３の電流供給能力が著しく低下してしまう場合等に、自動的にセルフパワーモードに切り換えるようにしてもよい。
【００７５】
（トランシーバのフロントエンド部分のスイッチ）
ＵＳＢインターフェースのフロントエンド部分は、図６に示すような構成となっている。すなわち、ＵＳＢトランシーバ２２のフロントエンドは、ＵＳＢのプラス側の信号ライン（Ｄ＋）を、１．５（ｋΩ）の抵抗４１を介して、３．３（Ｖ）の電圧にプルアップするためのスイッチ４２を備えている。ホスト機器２０側のフロントエンドでは、ＵＳＢのプラス側の信号ライン（Ｄ＋）が１５（ｋΩ）の抵抗４３でプルダウンされ、ＵＳＢのマイナス側の信号ライン（Ｄ−）が１５（ｋΩ）の抵抗４３でプルダウンされている。
【００７６】
スイッチ４２は、スタンドアローン動作時には開かれ、スレーブ動作時には閉じられる。つまり、ＵＳＢのプラス側の信号ライン（Ｄ＋）は、スレーブ動作時には定常状態で３（Ｖ）となり、スタンドアローン動作を行う場合にはグランドレベル又はハイインピーダンス状態となる。
【００７７】
ここで、スイッチ４２の開閉は、システムコントローラ２６の制御に応じて行われる。システムコントローラ２６は、スレーブ動作を行う場合には、スイッチ４２を閉じてＵＳＢのプラス側の信号ライン（Ｄ＋）の定常状態の電圧を３（Ｖ）とし、スタンドアローン動作を行う場合にはスイッチ４２を開いてオープン状態とする。
【００７８】
このようにスイッチ４２の開閉の制御を行うことによって、ホスト機器２０に対して、スレーブ機器が接続されたか否かを判断させることができる。具体的に、ホスト機器２０では、プラス側の信号ライン（Ｄ＋）の電圧がグランドレベルであれば、スレーブ機器がまだ接続されていない状態であると判断し、プラス側の信号ライン（Ｄ＋）の電圧が３（Ｖ）であれば、スレーブ機器が接続されたと判断する。
【００７９】
そして、ホスト機器２０では、プラス側の信号ライン（Ｄ＋）の電圧が３（Ｖ）となった後に、エニュメレーションと呼ばれる初期通信をスレーブ機器との間で行う。
【００８０】
（ＵＳＢの規格外電圧時の対応）
スタンドアローン動作を行うか、スレーブ動作を行うかは、ＵＳＢコネクタ１１の電源ラインに供給されている電圧（ＶＢｕｓ）に基づき判断がされる。
【００８１】
システムコントローラ２６は、ＵＳＢコネクタ１１の電源ラインの電圧を常時検出しており、電圧（ＶＢｕｓ）が発生していれば、当該ディスク記録再生装置１０とホスト機器２０とがＵＳＢケーブルにより接続されていると判断し、図６に示すスイッチ４２を閉じ、スレーブ動作に切り換える。また、システムコントローラ２６は、電圧（ＶＢｕｓ）が発生していなければ、当該ディスク記録再生装置１０とホスト機器２０とがＵＳＢケーブルにより接続されていないと判断し、図６に示すスイッチ４２を開いて、スタンドアローン動作に切り換える。
【００８２】
ここで、ＵＳＢの規格では、ＵＳＢコネクタ１１の電源ラインの電圧（ＶＢｕｓ）の値が、所定範囲（例えば４．７５Ｖ以上５．２５Ｖ以下）でなければならないと規定している。このため、電源ラインの電圧（ＶＢｕｓ）がこの所定範囲（例えば４．７５Ｖ以上５．２５Ｖ以下）以外のときには、スレーブ機器の動作が不安定となる可能性がある。
【００８３】
そのため、ディスク記録再生装置１０では、電圧（ＶＢｕｓ）が発生していても、ＵＳＢの電源ラインの電圧（ＶＢｕｓ）が、正常な範囲（例えば４．７５Ｖ以上５．２５Ｖ以下）外である場合には、ＵＳＢケーブルが正常接続されていない場合と同様に、図６に示すスイッチ４２を開いた状態のままとするとともに、スタンドアローン動作をしている。スイッチ４２を開いた状態のままとすれば、ホスト機器２０は、実際にはＵＳＢケーブルを解してスレーブ機器が接続されていても、まだスレーブ機器が接続されていないと認識する。
【００８４】
このように、ディスク記録再生装置１０では、ＵＳＢの電源ラインの電圧（ＶＢｕｓ）が異常である場合には、スレーブ機器としての接続を行わない。従って、動作不安定となることを回避することができる。
【００８５】
（スタンドアローンからスレーブへの切換の待機）
ディスク記録再生装置１０のシステムコントローラ２６は、スタンドアローン動作中にＵＳＢケーブルが接続されても、もしディスク１に対して記録又は再生動作を行っている場合には、スイッチ４２を開放した状態を保持するとともにスタンドアローン動作を続行し、その記録又は再生動作が終了した後に、スイッチ４２を閉じてスレーブ動作に切り換えるようにしている。
【００８６】
ＵＳＢの規格では、ＵＳＢケーブルを接続した当初は、電源ラインから消費可能な電流量は１００ｍＡまでと規定されている。それ以上の電流を消費する場合には、ホスト機器がそのスレーブ機器に対して所定の電流量割当処理を行い、その後、１００ｍＡ以上（最大５００ｍＡまで）の電流量の消費が可能となる。
【００８７】
ここで、スタンドアローン動作からスレーブ動作に切り換えると、上述した２接点スイッチ３７がＵＳＢ電源電圧（Ｖｕｓｂ）側に切り換えられるので、基本的にはバス電源でのみ動作することとなる。しかしながら、記録又は再生動作は、消費する電流が多く、１００ｍＡを超える可能性が高い。そのため、記録又は再生動作中に突然スタンドアローン動作からスレーブ動作に切り換えてしまうと、消費電流が、ＵＳＢケーブルを接続した当初の消費可能な電流量である１００ｍＡを超えてしまう可能性が非常に高い。
【００８８】
従って、ディスク記録再生装置１０では、ディスク１に対する記録又は再生動作が終了した後に、スイッチ４２を閉じてスレーブ動作に切り換えるようにしている。
【００８９】
ＵＳＢ電源部の内部構成、サスペンド時の電源供給方法
つぎに、ＵＳＢ電源部３３の内部構成と、サスペンド時の電源供給方法について説明をする。
【００９０】
図７に、ＵＳＢ電源部３３の内部まで示した電源管理部３０の構成図を示す。
【００９１】
図７に示すように、ＵＳＢ電源部３３は、独立した２つのレギュレータ（第１のレギュレータ４５と、第２のレギュレータ４６）から構成されている。第１のレギュレータ４５及び第２のレギュレータ４６は、例えば３端子の定電圧発生回路である。第１のレギュレータ４５及び第２のレギュレータ４６はともに、ＵＳＢコネクタ１１の電源ラインに供給されている電圧（ＶＢｕｓ）が入力され、この電圧を安定化させ、定電圧を発生する。第１のレギュレータ４５は、ＵＳＢ電源電圧（Ｖｕｓｂ）を発生する。第２のレギュレータ４６は、トランシーバ電源電圧（Ｖｔｒｃ）を発生する。
【００９２】
ＵＳＢ電源部３３の第１のレギュレータ４５から出力されたＵＳＢ電源電圧（Ｖｕｓｂ）は、切換部３４に供給される。また、ＵＳＢ電源部３３の第２のレギュレータ４６から出力されたトランシーバ電源電圧（Ｖｔｒｃ）は、ＵＳＢトランシーバ２２に供給される。
【００９３】
つぎに、サスペンド時の電源処理について説明をする。
【００９４】
ディスク記録再生装置１０は、スレーブ動作をしている最中に（つまり、ホスト機器２０のスレーブ機器として動作している状態のときに）、ＵＳＢの信号ライン（Ｄ＋,Ｄ−）がサスペンドとなると、必要最小限の回路のみに電源を投入しておき、その他の回路への電源供給を停止するといったスリープ状態に遷移する。
【００９５】
通常、ＵＳＢによるデータの通信中（或いは、通信可能な状態の時）は、ホスト機器からスレーブ機器へスタートオブフレーム（ＳＯＦ）と呼ばれる信号が２本の信号ライン（Ｄ＋,Ｄ−）上に伝送されているが、サスペンドは、このスタートオブフレーム（ＳＯＦ）が一定時間以上停止しアイドル状態なった状態をいう。サスペンドは、例えば、ホスト機器がスリープした場合に発生する。
【００９６】
ここで、ＵＳＢの規格上、スレーブ機器では、サスペンド時には、ＵＳＢの電源ラインから消費する電流量を５００μＡ以下に抑えなければならない。そのため、ディスク記録再生装置１０では、サスペンドとなると、消費電流を抑えるために、通常自分自身もスリープ状態へと遷移する。
【００９７】
具体的に、通常状態からスリープ状態へ遷移する処理、及び、スリープ状態から通常状態へ復帰する処理は次の通りである。
【００９８】
まず、通常の通信中は、第１のレギュレータ４５及び第２のレギュレータ４６が動作している。このとき原則的には２接点スイッチ３７が第１接点ａ側に倒れており、第１のレギュレータ４５から発生されたＵＳＢ電源電圧（Ｖｕｓｂ）がシステムコントローラ２６を含む各回路に供給されている。
【００９９】
続いて、サスペンドとなると、ＵＳＢトランシーバ２２が、サスペンド状態となった旨をシステムコントローラ２６へ通知する。それとともに、ＵＳＢトランシーバ２２は、ホスト機器２０からの復帰信号を検出する検出機能（復帰信号検出機能）、復帰信号を検出したときに第１のレギュレータ４５をオンする機能（第１のレギュレータのオン機能）のみを動作させ、残りの機能を全て停止する。
【０１００】
システムコントローラ２６は、ＵＳＢトランシーバ２２からの通知を受けると、第２のレギュレータ４６をパワーセーブモードに設定する。第２のレギュレータ４６のパワーセーブモードとは、復帰信号検出機能及び第１のレギュレータのオン機能を動作させるのに必要な電力量のみが発生できる程度に、出力電流量を通常より削減したモードである。第２のレギュレータ４６は、パワーセーブモードで動作することにより、自分自身が消費する電力量を少なくすることができる。
【０１０１】
続いて、システムコントローラ２６は、第１のレギュレータ４５及び主電源部３２をオフする。この結果、ＵＳＢトランシーバ２２及び第２のレギュレータ４６以外の回路への電源電圧（ＶＤＤ）の供給が絶たれ、これらの回路の動作が停止する。
【０１０２】
以上の処理が終わると、ディスク記録再生装置１０では、ＵＳＢトランシーバ２２と、それを駆動するためだけの電源回路（第２のレギュレータ４６）だけが動作している状態（スリープ状態）となる。
【０１０３】
ＵＳＢトランシーバ２２は、スリープ状態のときには、ホスト機器２０からの復帰信号が発生するのを待機している。ＵＳＢトランシーバ２２は、復帰信号を検出すると、第１のレギュレータのオン機能を用いて第１のレギュレータ４５をオンとするとともに、第２のレギュレータの復帰機能により第２のレギュレータ４６を復帰させる。
【０１０４】
第１のレギュレータ４５がオンすると、初期状態において２接点スイッチ３７が第１接点ａ側に倒れていることから、システムコントローラ２６を含む全ての回路に電源電圧（ＶＤＤ）が投入される。システムコントローラ２６は、電源電圧（ＶＤＤ）が投入されると、初期動作を開始し、ＵＳＢトランシーバ２２の機能を全て復帰させる。
【０１０５】
以後、ディスク記録再生装置１０は、通常の通信中の処理に復帰する。
【０１０６】
以上のようにディスク記録再生装置１０では、ＵＳＢの電源ラインからの電圧を安定化させるたに、独立した２つのレギュレータ（第１のレギュレータ４５と、第２のレギュレータ４６）を備えている。一方は、ＵＳＢの通信用回路（ＵＳＢトランシーバ２２）を動作させるための電源回路であり、他方は、ＵＳＢの通信用回路以外の回路（システムコントローラ２６等）を動作させるための電源回路である。
【０１０７】
ディスク記録再生装置１０では、スレーブ動作をする際、通常時には２つのレギュレータを動作させているが、サスペンド時（すなわちスリープ時）には、ＵＳＢの通信用回路（ＵＳＢトランシーバ２２）を動作させるための一方のレギュレータのみ動作させる。換言すると、ディスク記録再生装置１０では、スリープ時には、スリープ状態から復帰するために必要な最小限の機能と、その機能を駆動するためだけに必要な電源回路だけを動作させ、それ以外の回路は全て電力供給を停止している。
【０１０８】
このことによりディスク記録再生装置１０では、スリープ時における消費電力を最小限に抑えることが可能となる。
【０１０９】
主電源部の内部構成、充電制御方法
つぎに、主電源部３２の内部構成と、二次電池３１の充電制御方法について説明をする。
【０１１０】
図８に、主電源部３２の内部まで示した電源管理部３０の構成図を示す。
【０１１１】
図８に示すように、主電源部３２は、補助レギュレータ５１と、第１のダイオード５２と、第２のダイオード５３と、第３のダイオード５４と、ＤＣ-ＤＣコンバータ５５と、充電回路５６と、２接点スイッチ５７と、電池電圧検出回路５８と、第１の単極スイッチ５９と、第２の単極スイッチ６０とを備えている。
【０１１２】
補助レギュレータ５１は、ＵＳＢコネクタ１１の電源ラインに供給されている電圧（ＶＢｕｓ）が入力され、この電圧を安定化させ、定電圧（ＶＢＵＳ´）を発生する。補助レギュレータ５１の出力電圧は、第２のダイオード５３に印加される。
【０１１３】
第１のダイオード５２は、アノードが外部電源入力端子１２に接続され、カソードがノードＸに接続されている。すなわち、第１のダイオード５２は、外部電源から出力される直流電圧（ＶＡＣ）をノードＸに印加するとともに、当該ノードＸから外部電源入力端子１２への電流の逆流を防止している。
【０１１４】
第２のダイオード５３は、アノードが補助レギュレータ５１の出力端子に接続され、カソードがノードＸに接続されている。すなわち、第２のダイオード５３は、補助レギュレータ５１から出力された電圧（ＶＢＵＳ´）をノードＸに印加するとともに、当該ノードＸから補助レギュレータ５１への電流の逆流を防止している。
【０１１５】
第３のダイオード５４は、アノードが二次電池３１のプラス端子に接続され、カソードが２接点スイッチ５７を介してノードＸに接続されている。すなわち、第３のダイオード５４は、二次電池３１から出力された電圧（ＶＢＡＴＴ）をノードＸに印加するとともに、当該ノードＸから二次電池３１への電流の逆流を防止している。
【０１１６】
このようにノードＸには、外部電源から発生された直流電圧（ＶＡＣ）、バス電源に基づき生成された電圧（ＶＢＵＳ´）及び二次電池３１の電圧（ＶＢＡＴＴ）が印加される。
【０１１７】
ＤＣ-ＤＣコンバータ５５は、ノードＸに印加されている電圧が入力され、この電圧を安定化させ、定電圧（Ｖｍａｉｎ）を発生する。
【０１１８】
ここで、主電源部３２では、ノードＸに印加される電圧の大小関係は、ＶＡＣ＞ＶＢＵＳ´＞ＶＢＡＴＴとなっている。従って、ＤＣ-ＤＣコンバータ５５は、複数の電源から電力が供給されている場合には、外部電源→バス電源→二次電池の優先順位で電力を使用することとなる。すなわち、主電源部３２は、外部電源の電力を優先的に利用する。つまり、ＵＳＢのバス電源及び二次電池３１が接続されていても、外部電源が接続されていれば、バス電源及び二次電池３１の電力は用いられない。
【０１１９】
充電回路５６は、二次電池３１に対して充電を行う回路である。充電回路５６の入力端子は、ノードＸが２接点スイッチ５７を介して接続され、出力端子は、二次電池３１のプラス端子に接続される。すなわち、充電回路５６は、ノードＸに印加される電圧を元に二次電池３１を充電する。
【０１２０】
２接点スイッチ５７は、二つの接点（第１接点ｄ,第２接点ｅ）のいずれか一方を選択的に切り換えて、選択した一方の接点（第１接点ｄ又は第２接点ｅ）を入出力端子ｆに接続するスイッチである。第１接点ｄは、第３のダイオード５４のカソードが接続されている。第２接点ｅは、充電回路５７の入力に接続されている。入出力端子ｆは、ノードＸに接続されている。
【０１２１】
２接点スイッチ５７の切換制御は、システムコントローラ２６により行われる。システムコントローラ２６は、二次電池３１の放電時又は充電時の切換に応じて、２接点スイッチ５７を切り換える。システムコントローラ２６は、二次電池３１の放電時にはスイッチを第１接点ｄ側に切り換え、二次電池３１の充電時にはスイッチを第２接点ｅ側に切り換える。すなわち、二次電池３１の放電時には、二次電池３１の電圧（ＶＢＡＴＴ）がダイオード５４を介してノードＸに印加され、二次電池３１の充電時にはノードＸに発生している電圧が充電回路５７を介して二次電池３１に印加される。
【０１２２】
電池電圧検出回路５８は、二次電池３１が発生する電圧（ＶＢＡＴＴ）を検出する回路である。電池電圧検出回路５８が検出した電圧値は、システムコントローラ２６に供給される。
【０１２３】
第１の単極スイッチ５９は、オンの時に二次電池３１のマイナス端子とグランドとを接続し、オフのときに二次電池３１のマイナス端子を開放するスイッチである。
【０１２４】
第１の単極スイッチ５９のオン/オフの制御は、ＵＳＢコネクタ１１にＵＳＢケーブルが接続されているか否かに応じて切り換えられる。ＵＳＢコネクタ１１にＵＳＢケーブルが接続されているか否かを検出する方法は、電源ライン（ＶＢＵＳ）の電圧を検出して判断してもよいし、ＵＳＢコネクタ１１上に設けた物理スイッチにより検出して判断してもよい。第１の単極スイッチ５９は、ＵＳＢコネクタ１１にＵＳＢケーブルが接続されている場合にはオフ、接続されていない場合にはオンとなる。すなわち、第１の単極スイッチ５９は、スレーブ動作を行うときにはオフとなり、スタンドアローン動作を行うときにはオンとなるスイッチである。
【０１２５】
第２の単極スイッチ６０も、同様に、オンの時に二次電池３１のマイナス端子とグランドとを接続し、オフのときに二次電池３１のマイナス端子を開放するスイッチである。
【０１２６】
第２の単極スイッチ６０は、二次電池３１が充電時にオンとなり、充電時以外はオフとなるように、システムコントローラ２６により制御される。
【０１２７】
以上のような第１の単極スイッチ５９及び第２の単極スイッチ６０が設けられているので、二次電池３１は、両スイッチがともにオフとなっている場合には、放電も充電もされない。また、両者のスイッチのいずれか一方がオンとなっている場合には、充電又は放電がされる。
【０１２８】
つぎに、二次電池３１の充電及び放電の制御について説明をする。
【０１２９】
第１の単極スイッチ５９は、スタンドアローン動作時には閉じ、スレーブ動作時には開く。また、第２の単極スイッチ６０は、充電時には閉じ、放電時には開く。
【０１３０】
従って、二次電池３１は、スタンドアローン動作時には充電及び放電が行われ、スレーブ動作時には充電のみが行われる。
【０１３１】
充電及び放電の切換は、システムコントローラ２６により制御される。
【０１３２】
システムコントローラ２６は、外部電源入力端子１２に外部電源からの電圧（ＶＡＣ）が印加されており、二次電池３１が装填されており、且つ、二次電池３１が満充電ではないという条件の時に充電を行う。具体的には、システムコントローラ２６は、上記条件の時に、２接点スイッチ５７を第２接点ｅ側に切り換え、充電回路５６を動作させ、且つ、第２の単極スイッチ６０を閉じる制御を行う。
【０１３３】
システムコントローラ２６は、上記条件以外の場合には、２接点スイッチ５７を第１接点ｄ側に切り換え、充電回路５６を停止させ、且つ、第２の単極スイッチ６０を開く制御を行う。このため、スタンドアローン動作時には、上記条件以外の場合には二次電池３１は放電状態となる。すなわち、二次電池３１の発生電圧（ＶＢＡＴＴ）は、第１の単極スイッチ５９が閉じていることから、第３のダイオード５４を介してノードＸに印加される。また、スレーブ動作時には、上記条件以外の場合には二次電池３１は放電状態となる。すなわち、二次電池３１の発生電圧（ＶＢＡＴＴ）は、第１の単極スイッチ５９が開いていることから、放電も充電も行わない状態となる。
【０１３４】
ところで、ディスク記録再生装置１０では、サスペンドによるスリープ状態のときには、上述したように、ＵＳＢトランシーバ２２及びＵＳＢ電源部３３のうちの第２のレギュレータ４６のみしか動作をしていない。すなわち、システムコントローラ２６は動作していない。
【０１３５】
従って、外部電源入力端子１２に外部電源からの電圧（ＶＡＣ）が印加されており、二次電池３１が装填されており、且つ、二次電池３１が満充電ではないという条件を満たしていても、充電制御を行うことができない。
【０１３６】
そこで、ディスク記録再生装置１０では、サスペンドによるスリープ状態となった場合であっても、外部電源入力端子１２に外部電源からの電圧（ＶＡＣ）が印加されている場合には、主電源部３２は動作させておき、システムコントローラ２６を動作させ続けるようにしている。
【０１３７】
もっとも、ＵＳＢの電源ラインから電力消費をしてはならないので、ＵＳＢ電源部３３に対する処理は通常のスリープ時と同様に処理する。すなわち、第１のレギュレータ４５の動作を停止させるとともに、第２のレギュレータ４６の出力電流量の制限及びＵＳＢトランシーバ２２の機能制限を行う。
【０１３８】
それとともに、バス電源を使用している補助レギュレータ５１の動作は完全に停止させる。
【０１３９】
このことにより、サスペンドによるスリープ状態となった場合であっても、充電可能な条件であれば、システムコントローラ２６により二次電池３１に充電が行われるようになる。また、二次電池３１に対する充電のみならず、例えば各種表示やユーザ設定制御等のその他の制御や処理もシステムコントローラ２６に行わせることが可能となる。
【図面の簡単な説明】
【０１４０】
【図１】光ディスク及び本発明を適用したディスク記録再生装置の外観図である。
【図２】ＵＳＢ及び本発明を適用したディスク記録再生装置の外観図である。
【図３】コンピュータ及び本発明を適用したディスク記録再生装置の外観図である。
【図４】本発明を適用したディスク記録再生装置のブロック構成図である。
【図５】電源管理部のブロック図である。
【図６】ＵＳＢトランシーバのフロントエンド部分を示す図である。
【図７】ＵＳＢ電源部のブロック図である。
【図８】主電源部のブロック図である。
【符号の説明】
【０１４１】
１  光ディスク、１０  ディスク記録再生装置、１１  ＵＳＢコネクタ、１２  外部電源端子、１３  ＵＳＢケーブル、２０  コンピュータ（ホスト機器）メディアドライブ部、２２  ＵＳＢトランシーバ、２６  システムコントローラ、３１  二次電池、３２  主電源部、３３  ＵＳＢ電源部、３４  切換部、３７  ２接点スイッチ、３８  ダイオード、４５  第１のレギュレータ、４６  第２のレギュレータ、５１  補助レギュレータ、５２〜５４  ダイオード、５５  ＤＣ-ＤＣコンバータ、５６  充電回路、５７  ２接点スイッチ、５８  電池電圧検出、５９,６０  単極スイッチ
【図１】
2005275612.tif 000003
【図２】
2005275612.tif 000004
【図３】
2005275612.tif 000005
【図４】
2005275612.tif 000006
【図５】
2005275612.tif 000007
【図６】
2005275612.tif 000008
【図７】
2005275612.tif 000009
【図８】
2005275612.tif 000010